(57)【特許請求の範囲】
【請求項１】
複数の受信部と、
前記受信部が放送信号として取得した番組を録画する記録部と、
特定の放送チャンネルに関して一日のうち所定の時間帯で連続して番組を録画するループ録画及び特定の番組を個別に録画する通常録画を含む、前記記録部に対する録画計画を記憶する記憶部と、
前記録画計画に基づき前記記録部による番組録画を制御するとともに、前記ループ録画が前記複数の受信部すべてについて設定され、且つ前記ループ録画及び前記通常録画の各々の時間帯が連続する、或いは重複する場合に、前記通常録画の時間帯に応じて前記ループ録画及び前記通常録画を制御する録画処理部と、
を備え、
前記記憶部が前記ループ録画と前記通常録画との優先順位を予め定めた録画優先順位を記憶し、前記録画処理部が、前記録画優先順位に基づいて完遂させる録画を選択し、
前記録画処理部が、前記録画優先順位に基づいて前記ループ録画と前記通常録画とのいずれか一方の録画を完遂させることで他方の録画に係る番組が所定期間以上欠落する場合に、前記他方の番組自体の録画を実行させない映像処理装置。
【請求項２】
複数の受信部と、
前記受信部が放送信号として取得した番組を録画する記録部と、
特定の放送チャンネルに関して一日のうち所定の時間帯で連続して番組を録画するループ録画及び特定の番組を個別に録画する通常録画を含む、前記記録部に対する録画計画を記憶する記憶部と、
前記録画計画に基づき前記記録部による番組録画を制御するとともに、前記ループ録画が前記複数の受信部すべてについて設定され、且つ前記ループ録画及び前記通常録画の各々の時間帯が連続する、或いは重複する場合に、前記通常録画の時間帯に応じて前記ループ録画及び前記通常録画を制御する録画処理部と、
を備え、
前記記憶部が前記ループ録画により録画した番組の視聴履歴を予め記憶し、前記録画処理部が、前記視聴履歴に基づいて前記通常録画を実行するために制御する前記受信部を選択する映像処理装置。
【請求項３】
複数の受信部と、
前記受信部が放送信号として取得した番組を録画する記録部と、
特定の放送チャンネルに関して一日のうち所定の時間帯で連続して番組を録画するループ録画及び特定の番組を個別に録画する通常録画を含む、前記記録部に対する録画計画を記憶する記憶部と、
前記録画計画に基づき前記記録部による番組録画を制御するとともに、前記ループ録画が前記複数の受信部すべてについて設定され、且つ前記ループ録画及び前記通常録画の各々の時間帯が連続する、或いは重複する場合に、前記通常録画の時間帯に応じて前記ループ録画及び前記通常録画を制御する録画処理部と、
を備え、
前記記憶部が前記複数の受信部に係る前記ループ録画の優先順位を予め定めた受信部優先順位を記憶し、前記録画処理部が、前記受信部優先順位に基づいて前記通常録画を実行するために制御する前記受信部を選択する映像処理装置。
【請求項４】
前記録画処理部が、前記録画優先順位に基づいて優先順位の高い録画の前及び後の少なくともいずれかに所定の録画準備時間を設けて優先順位の低い録画を停止させる請求項１に記載の映像処理装置。
【請求項５】
前記通常録画の開始時刻が、前記ループ録画が行われる時間帯の終了時刻と同時刻である場合に、前記録画処理部が、前記複数の受信部のいずれかに係る前記ループ録画の終了後、その受信部を利用して前記通常録画を実行させる請求項１〜請求項４のいずれかに記載の映像処理装置。
【請求項６】
前記通常録画の終了時刻が、前記ループ録画が行われる時間帯の開始時刻と同時刻である場合に、前記録画処理部が、前記複数の受信部のいずれかを利用して前記通常録画を実行させてその通常録画が終了した後、その受信部に係る前記ループ録画を開始させる請求項１〜請求項４のいずれかに記載の映像処理装置。
【請求項７】
前記通常録画が、前記ループ録画が行われる時間帯の期間内に行われる場合に、前記録画処理部が、前記複数の受信部のいずれかに係る前記ループ録画を一時的に中断させ、その受信部を利用して前記通常録画を実行させる請求項１〜請求項４のいずれかに記載の映像処理装置。
【請求項８】
前記ループ録画と前記通常録画とが同じ放送チャンネルである場合に、前記録画処理部が、前記通常録画を実行させず、前記ループ録画の終了後に前記ループ録画として録画した前記通常録画に係る番組を前記通常録画としてあらためて前記記録部に保存させる請求項２又は請求項３に記載の映像処理装置。
【発明の詳細な説明】
【技術分野】
【０００１】
本発明は映像処理装置に関する。
【背景技術】
【０００２】
従来の映像処理装置は、放送局やインターネットなどから提供される放送番組の視聴が可能である。さらに、従来の映像処理装置には、放送番組（以下単に「番組」と称することがある）の録画と、再生とが可能なものもある。例えば、ユーザは映像処理装置に番組の録画の予約設定などをしておき、後刻好きな時間に録画した番組を再生して視聴することができる。
【０００３】
映像処理装置による番組の録画方法としては、特定の番組を個別に録画する通常録画のほか、いくつかの方法が提案されている。例えば、特定の放送チャンネルに関して一日のうち予め設定された時間帯で連続して録画するループ録画や、予め設定されたキーワードやジャンルについて対象となる番組を自動的に検索して録画するおまかせ録画などといった自動録画に係る方法が提案されている。これらの録画方法を備えた従来の映像処理装置が例えば特許文献１に開示されている。
【０００４】
特許文献１に記載された従来の映像処理装置（記録装置）はユーザが手動で個別に予約を設定する通常録画と、上記おまかせ録画のような自動録画との録画方法を備えている。そして、通常録画と自動録画との間で放送時間帯が重複する場合、通常録画を優先させるようにしている。
【先行技術文献】
【特許文献】
【０００５】
【特許文献１】特開２００４−１５３７２９号公報
【発明の概要】
【発明が解決しようとする課題】
【０００６】
しかしながら、複数の受信部（チューナ部）を利用して複数のチャンネルについてループ録画が可能な従来の映像処理装置では、すべての受信部についてループ録画を設定している場合、通常録画を設定することができないという課題があった。また、従来の映像処理装置では、ひとつの受信部に係る録画設定が通常録画かループ録画かいずれか一方しか対応できないことが多く、通常録画を設定するために、ループ録画で使用するチャンネルを削減しなければならないといった課題があった。また、通常録画を設定するために、ループ録画自体を停止させなければならないといった課題もあった。
【０００７】
本発明は、上記の点に鑑みなされたものであり、ループ録画及び通常録画の各々の時間帯が連続する、或いは重複する場合に、効率的に録画を実行することが可能な映像処理装置を提供することを目的とする。
【課題を解決するための手段】
【０００８】
上記の課題を解決するため、本発明の映像処理装置は、複数の受信部と、前記受信部が放送信号として取得した番組を録画する記録部と、特定の放送チャンネルに関して一日のうち所定の時間帯で連続して番組を録画するループ録画及び特定の番組を個別に録画する通常録画を含む、前記記録部に対する録画計画を記憶する記憶部と、前記録画計画に基づき前記記録部による番組録画を制御するとともに、前記ループ録画が前記複数の受信部すべてについて設定され、且つ前記ループ録画及び前記通常録画の各々の時間帯が連続する、或いは重複する場合に、前記通常録画の時間帯に応じて前記ループ録画及び前記通常録画を制御する録画処理部と、を備える。
【０００９】
この構成によれば、例えば映像処理装置はループ録画自体を停止することなく、ループ録画に連続して通常録画を実行する。また、例えば映像処理装置は複数の受信部のいずれかに係るループ録画を一時的に停止して通常録画を実行する。したがって、ループ録画及び通常録画の各々の時間帯が連続する、或いは重複する場合に、効率的に録画が実行される。
【００１０】
また、上記構成の映像処理装置において、前記通常録画の開始時刻が、前記ループ録画が行われる時間帯の終了時刻と同時刻である場合に、前記録画処理部が、前記複数の受信部のいずれかに係る前記ループ録画の終了後、その受信部を利用して前記通常録画を実行させる。
【００１１】
この構成によれば、映像処理装置はループ録画の終了後、続いて通常録画を実行する。したがって、ループ録画及び通常録画の各々の時間帯が連続する場合に、効率的に録画が実行される。
【００１２】
また、上記構成の映像処理装置において、前記通常録画の終了時刻が、前記ループ録画が行われる時間帯の開始時刻と同時刻である場合に、前記録画処理部が、前記複数の受信部のいずれかを利用して前記通常録画を実行させてその通常録画が終了した後、その受信部に係る前記ループ録画を開始させる。
【００１３】
この構成によれば、映像処理装置は通常録画の終了後、続いてループ録画を実行する。したがって、通常録画及びループ録画の各々の時間帯が連続する場合に、効率的に録画が実行される。
【００１４】
また、上記構成の映像処理装置において、前記通常録画が、前記ループ録画が行われる時間帯の期間内に行われる場合に、前記録画処理部が、前記複数の受信部のいずれかに係る前記ループ録画を一時的に中断させ、その受信部を利用して前記通常録画を実行させる。
【００１５】
この構成によれば、映像処理装置はループ録画を一時的に中断し、その間に通常録画を実行する。したがって、ループ録画及び通常録画の各々の時間帯が重複する場合に、効率的に録画が実行される。
【００１６】
また、上記構成の映像処理装置において、前記記憶部が前記ループ録画と前記通常録画との優先順位を予め定めた録画優先順位を記憶し、前記録画処理部が、前記録画優先順位に基づいて完遂させる録画を選択する。
【００１７】
この構成によれば、例えば映像処理装置はループ録画及び通常録画の各々の時間帯が重複する場合において、ループ録画と通常録画とのいずれかについて録画を完全に成し遂げる。したがって、ユーザの所望どおりの録画が実行される。
【００１８】
また、上記構成の映像処理装置において、前記録画処理部が、前記録画優先順位に基づいて優先順位の高い録画の前及び後の少なくともいずれかに所定の録画準備時間を設けて優先順位の低い録画を停止させる。
【００１９】
この構成によれば、映像処理装置が、例えば受信部がチャンネルの選局指令を受けてから選局を完了して記録部が録画を開始するまで録画準備時間を要する場合に対応することができる。したがって、録画優先順位の高い録画が完全に成し遂げられる。
【００２０】
また、上記構成の映像処理装置において、前記録画処理部が、前記録画優先順位に基づいて前記ループ録画と前記通常録画とのいずれか一方の録画を完遂させることで他方の録画に係る番組が所定期間以上欠落する場合に、その番組自体の録画を実行させない。
【００２１】
この構成によれば、例えば番組のほとんどが欠落してしまう場合に、その断片が記録部に録画されることが抑制される。したがって、不要な録画が実行されず、効率的な録画が実行される。
【００２２】
また、上記構成の映像処理装置において、前記ループ録画と前記通常録画とが同じ放送チャンネルである場合に、前記録画処理部が、前記通常録画を実行させず、前記通常録画に係る番組の終了後に前記ループ録画として録画した同番組を前記通常録画としてあらためて前記記録部に保存させる。
【００２３】
この構成によれば、対象となる通常録画に係る番組の放送時間帯に、ループ録画と通常録画とを切り替える必要がない。したがって、効率的な録画が実行される。
【００２４】
また、上記構成の映像処理装置において、前記記憶部が前記ループ録画により録画した番組の視聴履歴を予め記憶し、前記録画処理部が、前記視聴履歴に基づいて前記通常録画を実行するために制御する前記受信部を選択する。
【００２５】
この構成によれば、映像処理装置は通常録画のために受信部を制御する場合、例えばユーザが視聴している割合が比較的低いチャンネルが設定された受信部のループ録画を必要に応じて停止する。したがって、ユーザが視聴する可能性が低いチャンネルが設定された受信部が効率的に利用される。
【００２６】
また、上記構成の映像処理装置において、前記記憶部が前記複数の受信部に係る前記ループ録画の優先順位を予め定めた受信部優先順位を記憶し、前記録画処理部が、前記受信部優先順位に基づいて前記通常録画を実行するために制御する前記受信部を選択する。
【００２７】
この構成によれば、映像処理装置は通常録画のために受信部を制御する場合、任意の優先順位に基づき選択された受信部のループ録画を必要に応じて停止する。したがって、ユーザが任意に設定した受信部が効率的に利用される。
【発明の効果】
【００２８】
本発明の構成によれば、ループ録画及び通常録画の各々の時間帯が連続する、或いは重複する場合に、効率的に録画を実行することが可能な映像処理装置を提供することができる。
【図面の簡単な説明】
【００２９】
【図１】本発明の第１実施形態の映像処理装置の構成を示すブロック図である。
【図２】本発明の第１実施形態の映像処理装置による録画計画の一例を示す説明図である。
【図３】本発明の第１実施形態の映像処理装置による録画計画の一例を示す説明図である。
【図４】本発明の第２実施形態の映像処理装置による録画計画の一例を示す説明図である。
【図５】本発明の第３実施形態の映像処理装置による録画計画の一例を示す説明図である。
【図６】本発明の第４実施形態の映像処理装置による録画計画の一例を示す説明図である。
【図７】本発明の第５実施形態の映像処理装置による録画計画の一例を示す説明図である。
【図８】本発明の第６実施形態の映像処理装置による録画計画の一例を示す説明図である。
【図９】本発明の第７実施形態の映像処理装置による録画計画の一例を示す説明図である。
【図１０】本発明の第８実施形態の映像処理装置による録画計画の一例を示す説明図である。
【図１１】本発明の第９実施形態の映像処理装置の設定画面を示す説明図である。
【図１２】本発明の第９実施形態の映像処理装置による録画計画の一例を示す説明図である。
【発明を実施するための形態】
【００３０】
以下、本発明の実施形態を図１〜図１２に基づき説明する。
【００３１】
＜第１実施形態＞
最初に、本発明の第１実施形態の映像処理装置について、図１及び図２を用いてその構成を説明する。図１は映像処理装置の構成を示すブロック図であり、図２は映像処理装置による録画計画の一例を示す説明図である。
【００３２】
映像処理装置１は例えば記録再生装置（録画装置）であって、図１に示すように受信部であるチューナ部２、データ処理部３、記録部４、出力部５、操作部６、制御部７、記憶部８及び録画処理部９を備える。映像処理装置１は不図示のアンテナやモニタ、或いはテレビジョン受信機に電気的に接続され、テレビジョン放送の録画や再生のために利用される。
【００３３】
チューナ部２はテレビジョン放送局から提供される放送信号の受信に利用される。チューナ部２は不図示のアンテナから受信した放送信号の選局及び復調を行う。映像処理装置１は３個のチューナ部２を備え、同時に３チャンネルの放送番組の録画が可能である。
【００３４】
データ処理部３はチューナ部２から受け取った放送信号を記録部４または出力部５に送信する。また、データ処理部３は再生処理がなされた記録部４の録画番組に係る映像音声信号を出力部５に送信する。
【００３５】
記録部４はチューナ部２及びデータ処理部３を介して放送信号として取得した放送番組を録画する。記録部４は複数の番組を録画することができる。記録部４はＨＤＤ（Hard disk drive）や光ディスク装置などからなり、映像処理装置１に内蔵されているもののほか、外付けされていても良い。
【００３６】
出力部５はデータ処理部３から受け取った映像音声信号や、メニュー画面、電子番組表等の画面データを外部に出力する。出力部５の出力信号は映像処理装置１に電気的に接続される例えばモニタやテレビジョン受信機に送出される。モニタやテレビジョン受信機は出力部５の出力信号に基づく映像及び画面データを自身の画面に出力し、音声をスピーカから出力する。
【００３７】
操作部６は映像処理装置１の筐体表面や不図示のリモコンに設けられた複数の各種操作キーを備える。例えば、操作部６はユーザによる放送番組の録画や録画番組の再生に係る操作、電子番組表や録画計画などに係る操作を受け付ける。
【００３８】
制御部７は不図示の演算部やその他の電子部品で構成され、記憶部８等に予め記憶、入力されたプログラム、データに基づき、映像処理装置１の各構成要素から情報を得るとともにそれら構成要素の動作を制御して一連の放送信号の受信処理、録画再生処理及び出力処理を実現する。制御部７は録画処理部９を備える。なおここでは、制御部７が録画処理部９を備える構成としているが、制御部７とは別にして録画処理部９を備える構成であっても良い。録画処理部９が記録部４に併設或いは包含されていても良い。
【００３９】
記憶部８は制御部７が利用する上記プログラムやデータのほか、メニュー画面、電子番組表等の画面データや、記録部４に対する録画計画を記憶する。
【００４０】
録画処理部９は記録部４の番組の録画に係る処理を行うものであって、ユーザにより設定された録画計画に基づき記録部４による番組の録画を制御する。録画処理部９は番組の録画方法が異なる２つの録画モードで録画することが可能である。録画処理部９が処理することが可能な録画モードとしては、ループ録画モード及び通常録画モードが備えられている。記録部４には予め設定されたループ録画用の記録領域と通常録画用の記録領域とが存在し、ループ録画モードまたは通常録画モードで録画された番組が各々対応する領域に記録される。
【００４１】
なお、図２はある一日の録画計画を模式的に表現した説明図であって、以下同じ形態の図も同様の意味をなす。また、図２の上下方向は録画時間を表すが、図の上下方向の実際の長さと時間の長さとが正確に一致しているわけではない。
【００４２】
ループ録画は特定の放送チャンネルに関して一日のうち所定の時間帯で連続して番組を録画する。例えば図２によれば、３個のチューナ部２（Ｔ０、Ｔ１、Ｔ２）に対して、チューナ部Ｔ０及びＴ１でループ録画予約９１が設定されている。チューナ部Ｔ０に対してチャンネルＡ（ｃｈＡ）が設定され、チューナ部Ｔ１に対してチャンネルＢ（ｃｈＢ）が設定され、ともに開始時刻６時から終了時刻１９時まで番組を録画するよう設定されている。
【００４３】
ループ録画に関して、録画処理部９は例えばこのような設定に基づいて毎日繰り返し番組録画を実行する。記録部４のループ録画用の記録領域が残り少なくなった場合、ループ録画は古い録画データから順に削除（上書き）して録画を継続する。
【００４４】
通常録画は特定の番組を個別に録画する。例えば図２によれば、チューナ部Ｔ２で通常録画予約９２が設定されている。チューナ部Ｔ２に対してチャンネルＤ（ｃｈＤ）の１２時から１４時までの番組を録画するよう設定されている。
【００４５】
続いて、ループ録画が３個のチューナ部２すべてについて設定され、ループ録画及び通常録画の各々の時間帯が連続する場合について、図３を用いて説明する。図３はそのような場合の録画計画の一例を示す説明図である。
【００４６】
図３に示すように、３個のチューナ部２（Ｔ０、Ｔ１、Ｔ２）に対して、チャンネルＡ（ｃｈＡ）、チャンネルＢ（ｃｈＢ）、チャンネルＣ（ｃｈＣ）に係るループ録画予約９１が各々設定されている。設定当初の録画時間は、各々開始時刻６時から終了時刻１９時までである。
【００４７】
そのような状況において、チャンネルＤ（ｃｈＤ）の１９時から２１時までの番組を録画するよう通常録画予約９２が設定されたものとする。この場合、録画処理部９は予め定められたチューナ部Ｔ１に対して通常録画予約９２を設定する。
【００４８】
そして、通常録画の開始時刻が、ループ録画が行われる時間帯の終了時刻と同時刻である場合に、録画処理部９はチューナ部Ｔ１のループ録画の終了後、そのチューナ部Ｔ１を利用して通常録画を記録部４に実行させる。
【００４９】
ここで、映像処理装置１ではループ録画と通常録画とに対して録画優先順位が予め定められ、記憶部８に記憶されている。例えば、本実施形態ではループ録画の優先順位よりも通常録画の優先順位のほうが高く設定されるが、この録画優先順位はユーザが操作部６等を利用して任意に変更することが可能である。
【００５０】
また、記録部４は番組を録画するにあたって、チャンネルの選局やそれに係る停止処理或いは開始処理等のために録画準備時間を必要とする。録画準備時間としては、例えば２分が設定される。
【００５１】
ループ録画の優先順位よりも通常録画の優先順位のほうが高く設定されているので、録画処理部９は録画優先順位に基づいて完遂させる録画として通常録画を選択する。このため、図３に示すように、録画処理部９は録画優先順位に基づいて優先順位の高い通常録画の前に録画準備時間９３を設けて、優先順位の低いチューナ部Ｔ１のループ録画を設定当初の終了時刻１９時の２分前に停止させる。そして、録画処理部９は通常録画を、通常録画予約９２に基づきチューナ部Ｔ１を用いて１９時から実行させる。
【００５２】
上記のように、本発明の実施形態の映像処理装置１は、３個のチューナ部２と、チューナ部２が放送信号として取得した番組を録画する記録部４と、特定の放送チャンネルに関して一日のうち所定の時間帯で連続して番組を録画するループ録画及び特定の番組を個別に録画する通常録画を含む、記録部４に対する録画計画を記憶する記憶部８と、録画計画に基づき記録部による番組録画を制御する録画処理部９と、を備える。録画処理部９は、ループ録画が３個のチューナ部２すべてについて設定され、且つループ録画及び通常録画の各々の時間帯が連続する場合に、通常録画の時間帯に応じてループ録画及び通常録画を制御する。
【００５３】
この構成によれば、映像処理装置１はループ録画自体を停止することなく、ループ録画に連続して通常録画を実行する。したがって、ループ録画及び通常録画の各々の時間帯が連続する場合に、効率的に録画を実行することが可能である。
【００５４】
また、通常録画の開始時刻が、ループ録画が行われる時間帯の終了時刻と同時刻である場合に、録画処理部９が、３個のチューナ部２のうちチューナ部Ｔ１に係るループ録画の終了後、チューナ部Ｔ１を利用して通常録画を記録部４に実行させる。これにより、映像処理装置１はループ録画の終了後、続いて通常録画を実行することができ、効率的に録画を実行することが可能である。
【００５５】
また、記憶部８がループ録画と通常録画との優先順位を予め定めた録画優先順位を記憶し、録画処理部９が録画優先順位に基づいて完遂させる録画を選択する。これにより、映像処理装置１は録画準備時間９３を有することでループ録画及び通常録画の各々の時間帯が重複する場合において、例えば通常録画について録画を完全に成し遂げる。したがって、ユーザの所望どおりの録画を実行することができる。
【００５６】
そして、録画処理部９が録画優先順位に基づいて優先順位の高い通常録画の前に、例えば２分の録画準備時間９３を設けて優先順位の低いループ録画を停止させる。これにより、映像処理装置１が、チューナ部２がチャンネルの選局指令を受けてから選局を完了して記録部４が通常録画を開始するまで２分の録画準備時間９３を要する場合に対応することができる。したがって、録画優先順位の高い通常録画を完全に成し遂げることが可能である。
【００５７】
＜第２実施形態＞
次に、本発明の第２実施形態の映像処理装置について、図４を用いて説明する。図４は映像処理装置による録画計画の一例を示す説明図である。なお、この実施形態の基本的な構成は先に説明した第１実施形態と同じであるので、第１実施形態と共通する構成要素には前と同じ符号を付してその説明を省略するものとする。
【００５８】
第２実施形態の映像処理装置１では、図４に示すように３個のチューナ部２（Ｔ０、Ｔ１、Ｔ２）に対して、チャンネルＡ（ｃｈＡ）、チャンネルＢ（ｃｈＢ）、チャンネルＣ（ｃｈＣ）に係るループ録画予約９１が各々設定されている。設定当初の録画時間は、各々開始時刻６時から終了時刻１９時までである。
【００５９】
そして、チャンネルＤ（ｃｈＤ）の１９時から２１時までの番組を録画するよう通常録画予約９２が設定されたものとする。通常録画の開始時刻が、ループ録画が行われる時間帯の終了時刻と同時刻である場合に、録画処理部９はチューナ部Ｔ１のループ録画の終了後、そのチューナ部Ｔ１を利用して通常録画を記録部４に実行させる。
【００６０】
ここで、第２実施形態の映像処理装置１では、通常録画の優先順位よりもループ録画の優先順位のほうが高く設定される。また、録画準備時間９３として２分が設定される。
【００６１】
通常録画の優先順位よりもループ録画の優先順位のほうが高く設定されているので、録画処理部９は録画優先順位に基づいて完遂させる録画としてループ録画を選択する。このため、図４に示すように、録画処理部９は録画優先順位に基づいて優先順位の高いループ録画を、ループ録画予約９１に基づきチューナ部Ｔ１を用いて１９時まで実行させる。そして、録画処理部９はループ録画の終了後に録画準備時間９３を設けて、優先順位の低いチューナ部Ｔ１の通常録画を設定当初の開始時刻１９時の２分後に開始させる。
【００６２】
このようにして、映像処理装置１は録画準備時間９３を有することでループ録画及び通常録画の各々の時間帯が重複する場合において、ループ録画について録画を完全に成し遂げる。したがって、ユーザの所望どおりの録画を実行することができる。
【００６３】
＜第３実施形態＞
次に、本発明の第３実施形態の映像処理装置について、図５を用いて説明する。図５は映像処理装置による録画計画の一例を示す説明図である。なお、この実施形態の基本的な構成は先に説明した第１実施形態と同じであるので、第１実施形態と共通する構成要素には前と同じ符号を付してその説明を省略するものとする。
【００６４】
第３実施形態の映像処理装置１では、図５に示すように３個のチューナ部２（Ｔ０、Ｔ１、Ｔ２）に対して、チャンネルＡ（ｃｈＡ）、チャンネルＢ（ｃｈＢ）、チャンネルＣ（ｃｈＣ）に係るループ録画予約９１が各々設定されている。設定当初の録画時間は、各々開始時刻６時から終了時刻１９時までである。
【００６５】
そして、チャンネルＤ（ｃｈＤ）の４時から６時までの番組を録画するよう通常録画予約９２が設定されたものとする。
【００６６】
ここで、第３実施形態の映像処理装置１では、通常録画の終了時刻が、ループ録画が行われる時間帯の開始時刻と同時刻である場合に、録画処理部９が３個のチューナ部２のうちチューナ部Ｔ１を利用して通常録画を実行させてその通常録画が終了した後、そのチューナ部Ｔ１に係るループ録画を開始させる。
【００６７】
そして、ループ録画の優先順位よりも通常録画の優先順位のほうが高く設定され、録画準備時間９３として例えば２分が設定される。このため、図５に示すように、録画処理部９は録画優先順位に基づいて優先順位の高い通常録画を、通常録画予約９２に基づきチューナ部Ｔ１を用いて６時まで実行させる。そして、録画処理部９は通常録画の終了後に録画準備時間９３を設けて、優先順位の低いチューナ部Ｔ１のループ録画を設定当初の開始時刻６時の２分後に開始させる。
【００６８】
この構成によれば、映像処理装置１は通常録画の終了後、続いてループ録画を実行することができる。したがって、ループ録画及び通常録画の各々の時間帯が連続する場合に、効率的に録画を実行することが可能である。
【００６９】
＜第４実施形態＞
次に、本発明の第４実施形態の映像処理装置について、図６を用いて説明する。図６は映像処理装置による録画計画の一例を示す説明図である。なお、この実施形態の基本的な構成は先に説明した第１実施形態と同じであるので、第１実施形態と共通する構成要素には前と同じ符号を付してその説明を省略するものとする。
【００７０】
第４実施形態の映像処理装置１では、図６に示すように３個のチューナ部２（Ｔ０、Ｔ１、Ｔ２）に対して、チャンネルＡ（ｃｈＡ）、チャンネルＢ（ｃｈＢ）、チャンネルＣ（ｃｈＣ）に係るループ録画予約９１が各々設定されている。設定当初の録画時間は、各々開始時刻６時から終了時刻１９時までである。
【００７１】
そして、チャンネルＤ（ｃｈＤ）の１２時から１４時までの番組を録画するよう通常録画予約９２が設定されたものとする。
【００７２】
ここで、第４実施形態の映像処理装置１では、通常録画が、ループ録画が行われる時間帯の期間内に行われる場合に、録画処理部９が３個のチューナ部２のうちチューナ部Ｔ１に係るループ録画を一時的に中断させ、そのチューナ部Ｔ１を利用して通常録画を実行させる。
【００７３】
そして、ループ録画の優先順位よりも通常録画の優先順位のほうが高く設定され、録画準備時間９３、９４として例えば２分が設定される。このため、図６に示すように、録画処理部９は録画優先順位に基づいて優先順位の高い通常録画の前に録画準備時間９３を設けて、優先順位の低いチューナ部Ｔ１のループ録画を１２時の２分前に停止させる。そして、録画処理部９は通常録画を、通常録画予約９２に基づきチューナ部Ｔ１を用いて１２時から実行させる。そして、通常録画が１４時に終了すると、録画処理部９は通常録画の終了後に録画準備時間９４を設けて、優先順位の低いチューナ部Ｔ１のループ録画を１４時の２分後に再開させる。
【００７４】
この構成によれば、映像処理装置１はループ録画を一時的に中断し、その間に通常録画を実行することができる。したがって、ループ録画及び通常録画の各々の時間帯が重複する場合に、効率的に録画を実行することが可能である。
【００７５】
＜第５実施形態＞
次に、本発明の第５実施形態の映像処理装置について、図７を用いて説明する。図７は映像処理装置による録画計画の一例を示す説明図である。なお、この実施形態の基本的な構成は先に説明した第１実施形態と同じであるので、第１実施形態と共通する構成要素には前と同じ符号を付してその説明を省略するものとする。
【００７６】
第５実施形態の映像処理装置１では、図７に示すように３個のチューナ部２（Ｔ０、Ｔ１、Ｔ２）に対して、チャンネルＡ（ｃｈＡ）、チャンネルＢ（ｃｈＢ）、チャンネルＣ（ｃｈＣ）に係るループ録画予約９１が各々設定されている。設定当初の録画時間は、各々開始時刻６時から終了時刻１９時までである。
【００７７】
そして、チャンネルＤ（ｃｈＤ）の１２時から１４時までの番組を録画するよう通常録画予約９２が設定されたものとする。
【００７８】
ここで、第５実施形態の映像処理装置１では、録画処理部９が録画優先順位に基づいてループ録画と通常録画とのいずれか一方の録画を完遂させることで他方の録画に係る番組が所定期間、例えば番組全体の８０％以上が欠落する場合に、その番組自体の録画を実行させない。また、例えばループ録画の優先順位よりも通常録画の優先順位のほうが高く設定され、録画準備時間９３、９４として例えば２分が設定される。
【００７９】
すなわち、図７に示すように、録画処理部９は録画優先順位に基づいて優先順位の高い通常録画の前に録画準備時間９３を設け、通常録画の後に録画準備時間９４を設ける。一方、優先順位の低いチューナ部Ｔ１のループ録画（チャンネルＢ（ｃｈＢ））における通常録画及び録画準備時間９３、９４に対応する時間帯に、番組９５が放送される。
【００８０】
そして、通常録画及び録画準備時間９３、９４に対応する時間帯が番組９５の８０％以上の時間を占め、通常録画を優先することで番組９５の８０％以上が欠落する場合に、録画処理部９はその番組９５自体の録画を実行させない。すなわち、録画処理部９はチューナ部Ｔ１のループ録画を番組９５の放映開始時刻で一時停止させ、番組９５の放映終了時刻で再開させる。
【００８１】
この構成によれば、番組９５のほとんどが欠落してしまう場合に、その断片が記録部４に録画されることを抑制することができる。したがって、不要な録画を実行せず、効率的に録画を実行することが可能である。
【００８２】
＜第６実施形態＞
次に、本発明の第６実施形態の映像処理装置について、図８を用いて説明する。図８は映像処理装置による録画計画の一例を示す説明図である。なお、この実施形態の基本的な構成は先に説明した第１実施形態と同じであるので、第１実施形態と共通する構成要素には前と同じ符号を付してその説明を省略するものとする。
【００８３】
第６実施形態の映像処理装置１では、図８に示すように３個のチューナ部２（Ｔ０、Ｔ１、Ｔ２）に対して、チャンネルＡ（ｃｈＡ）、チャンネルＢ（ｃｈＢ）、チャンネルＣ（ｃｈＣ）に係るループ録画予約９１が各々設定されている。設定当初の録画時間は、各々開始時刻６時から終了時刻１９時までである。
【００８４】
そして、チャンネルＢ（ｃｈＢ）の１９時から２１時までの番組を録画するよう通常録画予約９２が設定されたものとする。すなわち、チューナ部Ｔ１を利用したループ録画及び通常録画の放送チャンネルが同じである。
【００８５】
ここで、第６実施形態の映像処理装置１では、ループ録画と通常録画とが同じ放送チャンネルである場合に、録画処理部９が通常録画を実行させず、通常録画に係る番組の終了後にループ録画として録画した同番組を通常録画としてあらためて記録部４の通常録画用の記録領域に保存させる。
【００８６】
すなわち、図８に示すように、ループ録画と通常録画とが同じチャンネルＢ（ｃｈＢ）で、ループ録画が行われる時間帯の終了時刻が通常録画の開始時刻と同時刻である場合、録画処理部９はループ録画の当初の終了時刻である１９時にループ録画を終了させず、引き続き通常録画の終了時刻である２１時まで継続させる。２１時にループ録画が終了した後、録画処理部９はループ録画で録画した１９時から２１時までの番組を通常録画の録画番組としてあらためて記録部４の通常録画用の記録領域に保存させる。
【００８７】
なお、ループ録画で録画した１９時から２１までの番組を記録部４の通常録画用の記録領域に保存させることなくループ録画用の記録領域にそのまま保存させて、その後のループ録画に基づく削除や上書きが実行されないようプロテクトを施すようにしても良い。
【００８８】
この構成によれば、対象となる通常録画に係る番組の放送時間帯、すなわち図８における１９時において、ループ録画と通常録画とを切り替える必要がない。したがって、効率的に録画を実行することが可能である。
【００８９】
＜第７実施形態＞
次に、本発明の第７実施形態の映像処理装置について、図９を用いて説明する。図９は映像処理装置による録画計画の一例を示す説明図である。なお、この実施形態の基本的な構成は先に説明した第１実施形態と同じであるので、第１実施形態と共通する構成要素には前と同じ符号を付してその説明を省略するものとする。
【００９０】
第７実施形態の映像処理装置１では、図９に示すように３個のチューナ部２（Ｔ０、Ｔ１、Ｔ２）に対して、チャンネルＡ（ｃｈＡ）、チャンネルＢ（ｃｈＢ）、チャンネルＣ（ｃｈＣ）に係るループ録画予約９１が各々設定されている。設定当初の録画時間は、各々開始時刻６時から終了時刻１９時までである。
【００９１】
そして、チャンネルＢ（ｃｈＢ）の１２時から１４時までの番組を録画するよう通常録画予約９２が設定されたものとする。すなわち、チューナ部Ｔ１を利用したループ録画及び通常録画の放送チャンネルが同じである。
【００９２】
ここで、第７実施形態の映像処理装置１では、図９に示すようにループ録画と通常録画とが同じチャンネルＢ（ｃｈＢ）で、通常録画が、ループ録画が行われる時間帯の期間内に行われる場合、録画処理部９は通常録画による録画時間帯である１２時から１４時の間に録画を切り替えず、引き続きループ録画をその終了時刻である１９時まで継続させる。ループ録画が終了した後、録画処理部９はループ録画で録画した１２時から１４時までの番組を通常録画の録画番組としてあらためて記録部４の通常録画用の記録領域に保存させる。
【００９３】
なお、第６実施形態と同様に、ループ録画で録画した１２時から１４までの番組を記録部４の通常録画用の記録領域に保存させることなくループ録画用の記録領域にそのまま保存させて、その後のループ録画に基づく削除や上書きが実行されないようプロテクトを施すようにしても良い。
【００９４】
この構成によれば、対象となる通常録画に係る番組の放送時間帯、すなわち図９における１２時及び１４時において、ループ録画と通常録画とを切り替える必要がない。したがって、効率的に録画を実行することが可能である。
【００９５】
＜第８実施形態＞
次に、本発明の第８実施形態の映像処理装置について、図１０を用いて説明する。図１０は映像処理装置による録画計画の一例を示す説明図である。なお、この実施形態の基本的な構成は先に説明した第１実施形態と同じであるので、第１実施形態と共通する構成要素には前と同じ符号を付してその説明を省略するものとする。
【００９６】
第８実施形態の映像処理装置１では、図１０に示すように３個のチューナ部２（Ｔ０、Ｔ１、Ｔ２）に対して、チャンネルＡ（ｃｈＡ）、チャンネルＢ（ｃｈＢ）、チャンネルＣ（ｃｈＣ）に係るループ録画予約９１が各々設定されている。設定当初の録画時間は、各々開始時刻６時から終了時刻１９時までである。
【００９７】
そして、チャンネルＤ（ｃｈＤ）の１９時から２１時までの番組を録画するよう通常録画予約９２が設定されたものとする。
【００９８】
ここで、第８実施形態の映像処理装置１では、記憶部８がループ録画により録画した番組の視聴履歴を予め記憶している。そして、録画処理部９はその視聴履歴に基づいて通常録画を実行するために制御するチューナ部２を選択する。このため、図１０に示すように、録画処理部９は視聴履歴に基づいてチューナ部Ｔ０を制御する。
【００９９】
この構成によれば、映像処理装置１は通常録画のためにチューナ部２を制御する場合、例えばユーザが視聴している割合が比較的低いチャンネルが設定されたチューナ部Ｔ０のループ録画を必要に応じて停止することができる。したがって、ユーザが視聴する可能性が低いチャンネルが設定されたチューナ部Ｔ０を効率的に利用することが可能である。
【０１００】
＜第９実施形態＞
次に、本発明の第９実施形態の映像処理装置について、図１１及び図１２を用いて説明する。図１１は映像処理装置の設定画面を示す説明図であり、図１２は映像処理装置による録画計画の一例を示す説明図である。なお、この実施形態の基本的な構成は先に説明した第１実施形態と同じであるので、第１実施形態と共通する構成要素には前と同じ符号を付してその説明を省略するものとする。
【０１０１】
第９実施形態の映像処理装置１では、図１１に示すような録画設定画面１０を利用して、例えばループ録画に係る録画設定を行うことができる。録画設定画面１０は不図示の表示部や、映像処理装置１に接続されたモニタやテレビジョン受信機の表示部に表示させ、操作部６で操作することができる。
【０１０２】
ユーザは録画設定画面１０を利用してループ録画の優先順位を設定することができる。そして、記憶部８が３個のチューナ部２（Ｔ０、Ｔ１、Ｔ２）に係るループ録画の優先順位を予め定めた受信部優先順位として記憶する。図１１によれば、チューナ部Ｔ１（録画設定画面１０の「チューナ１」）の受信部優先順位が最も高く、以下チューナ部Ｔ０（録画設定画面１０の「チューナ０」）、チューナ部Ｔ２（録画設定画面１０の「チューナ２」）の順となっている。
【０１０３】
一方、映像処理装置１では、図１２に示すように３個のチューナ部２（Ｔ０、Ｔ１、Ｔ２）に対して、チャンネルＡ（ｃｈＡ）、チャンネルＢ（ｃｈＢ）、チャンネルＣ（ｃｈＣ）に係るループ録画予約９１が各々設定されている。設定当初の録画時間は、各々開始時刻６時から終了時刻１９時までである。
【０１０４】
そして、チャンネルＤ（ｃｈＤ）の１９時から２１時までの番組を録画するよう通常録画予約９２が設定されたものとする。
【０１０５】
ここで、第９実施形態の映像処理装置１では、録画処理部９が受信部優先順位に基づいて通常録画を実行するために制御するチューナ部２を選択する。このため、図１２に示すように、録画処理部９は受信部優先順位に基づき、優先順位の低いチューナ部Ｔ２を制御する。
【０１０６】
この構成によれば、映像処理装置１は通常録画のためにチューナ部２を制御する場合、任意の優先順位に基づき選択された、優先順位の低いチューナ部Ｔ２のループ録画を必要に応じて停止することができる。したがって、ユーザが任意に設定したチューナ部Ｔ２を効率的に利用することが可能である。
【０１０７】
以上、本発明の実施形態につき説明したが、本発明の範囲はこれに限定されるものではなく、発明の主旨を逸脱しない範囲で種々の変更を加えて実施することができる。
【産業上の利用可能性】
【０１０８】
本発明は映像処理装置において利用可能である。
【符号の説明】
【０１０９】
１    映像処理装置
２    チューナ部（受信部）
４    記録部
７    制御部
８    記憶部
９    録画処理部
【図１】
0006375716.tif 000002
【図２】
0006375716.tif 000003
【図３】
0006375716.tif 000004
【図４】
0006375716.tif 000005
【図５】
0006375716.tif 000006
【図６】
0006375716.tif 000007
【図７】
0006375716.tif 000008
【図８】
0006375716.tif 000009
【図９】
0006375716.tif 000010
【図１０】
0006375716.tif 000011
【図１１】
0006375716.tif 000012
【図１２】
0006375716.tif 000013